(57)【要約】      （修正有）【課題】搬送部材の間隙に入り込んだ塵芥も良好に清掃できるようにすること。【解決手段】  飲食容器が載置される載置プレート部５’ａを有する複数の載置部材５’を相対移動可能に連結することで無端状とされた搬送部材５を走行させることにより所定の搬送経路上において飲食物を循環搬送する循環型飲食容器搬送装置４において、前記搬送部材５を清掃するための装置５０であって、前記搬送部材５の上面とほぼ平行に配置され、下面にブラシ体を備える回転盤７１と、該回転盤を回転駆動する駆動部７０とを備え、前記ブラシ体が載置プレート部５’ａ間に形成される間隙１１に入り込む長さを有する。【選択図】図２
2006273442.tif 000002
【特許請求の範囲】
【請求項１】
飲食物を載置する飲食容器が載置される載置プレート部を有する複数の載置部材を相対移動可能に連結することで無端状とされた搬送部材を、所定の搬送経路上を走行させることにより該搬送経路上において前記飲食物を循環搬送する循環型飲食容器搬送装置において、前記搬送部材を清掃するための循環型飲食容器搬送装置用清掃装置であって、
前記載置プレート部の上面とほぼ平行に配置され、下面にブラシ体を備える回転盤と、該回転盤を回転駆動する駆動部とを備え、前記ブラシ体が載置プレート部間に形成される間隙に入り込む長さを有することを特徴とする循環型飲食容器搬送装置用清掃装置。
【請求項２】
前記ブラシ体を、長さの長いブラシ体と長さの短いブラシ体とで形成して成ることを特徴とする請求項１に記載の循環型飲食容器搬送装置用清掃装置。
【請求項３】
前記載置プレート部の形状が平面視略半月状であって、前記ブラシ体の少なくとも一部は、前記回転盤の回転中心と同心円上に配置されており、該同心円の曲率が前記略半月状の載置プレート部間に形成される間隙の曲率とほぼ同一であることを特徴とする請求項１または２に記載の循環型飲食容器搬送装置用清掃装置。
【請求項４】
前記搬送部材の走行方向に対する前記載置プレート部の側面の少なくとも一部と摺接するブラシ部を備えることを特徴とする請求項１〜３のいずれかに記載の循環型飲食容器搬送装置用清掃装置。
【請求項５】
前記搬送部材上の塵芥を吸引して回収する吸引装置に接続された吸引部を備えることを特徴とする請求項１〜４のいずれかに記載の循環型飲食容器搬送装置用清掃装置。
【請求項６】
前記ブラシ体との摩擦による前記搬送部材の帯電を除去する帯電除去部を備えることを特徴とする請求項１〜５のいずれかに記載の循環型飲食容器搬送装置用清掃装置。
【発明の詳細な説明】
【技術分野】
【０００１】
本発明は、飲食物を載置する飲食容器が載置される載置部材を相対移動可能に連結することで無端状とされた搬送部材を、所定の搬送経路上を走行させることにより該搬送経路上において前記飲食物を循環搬送する循環型飲食容器搬送装置において、前記搬送部材を清掃するための循環型飲食容器搬送装置用清掃装置に関する。
【背景技術】
【０００２】
従来、この種の無端状の循環型飲食容器搬送装置にあっては、寿司などの飲食物を載置した容器を、循環走行自在に配設された搬送部材上に載置することにより搬送していることから、塵や埃あるいは食材である飯粒やネタ、しょう油、タレ等の調味料などの塵芥が落下して搬送部材が汚れることがあった。
【０００３】
搬送部材が汚れている状況は衛生上好ましくなく、また、客の目に付きやすいことから、一般的には、例えば営業時間外や営業時間中における閑散時等において人手により清掃するようにしていたが、循環型搬送装置が大型で搬送経路が長いもの等にあっては、人手による清掃は手間であるばかりか、特に飯粒等は搬送部材にこびりついていることがあるため、これを除去することは大変な作業であった。
【０００４】
このため、これら循環型搬送装置の搬送部材に付着した塵芥を清掃する装置が提案されている（例えば、特許文献１参照）。
【０００５】
【特許文献１】特願２００４−１８５１７０号
【発明の開示】
【発明が解決しようとする課題】
【０００６】
しかしながら、上記特許文献１に記載の清掃装置にあっては、搬送部材の上面に付着した塵芥を清掃することに優れているものの、搬送部材がクレセントチェーンコンベア等のように、飲食容器が載置される載置プレート部を有する複数の載置部材が相対移動可能に連結されたものである場合には、隣接する載置プレート部の間隙に入り込んだ塵芥を良好に清掃することができず、これら間隙に塵芥が残存してしまう場合があるという問題があった。
【０００７】
本発明は、このような問題点に着目してなされたもので、隣接する載置プレート部の間隙に入り込んだ塵芥を良好に清掃することのできる循環型飲食容器搬送装置用清掃装置を提供することを目的とする。
【課題を解決するための手段】
【０００８】
上記課題を解決するために、本発明の請求項１に記載の循環型飲食容器搬送装置用清掃装置は、
飲食物を載置する飲食容器が載置される載置プレート部を有する複数の載置部材を相対移動可能に連結することで無端状とされた搬送部材を、所定の搬送経路上を走行させることにより該搬送経路上において前記飲食物を循環搬送する循環型飲食容器搬送装置において、前記搬送部材を清掃するための循環型飲食容器搬送装置用清掃装置であって、
前記載置プレート部の上面とほぼ平行に配置され、下面にブラシ体を備える回転盤と、該回転盤を回転駆動する駆動部とを備え、前記ブラシ体が載置プレート部間に形成される間隙に入り込む長さを有することを特徴としている。
この特徴によれば、回転盤の回転駆動によりブラシ体が回転することで、隣接する載置プレート部間に形成される間隙にブラシ体の先端が侵入し易くなるので、これら間隙に入り込んだ塵芥を良好に清掃することができる。
【０００９】
本発明の請求項２に記載の循環型飲食容器搬送装置用清掃装置は、請求項１に記載の循環型飲食容器搬送装置用清掃装置であって、
前記ブラシ体を、長さの長いブラシ体と長さの短いブラシ体とで形成して成ることを特徴としている。
この特徴によれば、ブラシ体の長さが全て同一の場合に比較して、長いブラシ体を有することにより、これら長いブラシ体が良好に載置プレート部の間隙に侵入するようになり、これら間隙に入り込んだ塵芥をより良好に清掃することができる。
【００１０】
本発明の請求項３に記載の循環型飲食容器搬送装置用清掃装置は、請求項１または２に記載の循環型飲食容器搬送装置用清掃装置であって、
前記載置プレート部の形状が平面視略半月状であって、前記ブラシ体の少なくとも一部は、前記回転盤の回転中心と同心円上に配置されており、該同心円の曲率が前記略半月状の載置プレート部間に形成される間隙の曲率とほぼ同一であることを特徴としている。
この特徴によれば、前記ブラシ体が、回転盤が回転されることによって前記間隙に沿って移動されるようになるので、これら間隙に入り込んだ塵芥をより良好に清掃することができる。
【００１１】
本発明の請求項４に記載の循環型飲食容器搬送装置用清掃装置は、請求項１〜３のいずれかに記載の循環型飲食容器搬送装置用清掃装置であって、
前記搬送部材の走行方向に対する前記載置プレート部の側面の少なくとも一部と摺接するブラシ部を備えることを特徴としている。
この特徴によれば、載置プレート部の上面や隣接する載置プレート部の間隙とともに、載置プレート部の側面も同時に清掃できる。
【００１２】
本発明の請求項５に記載の循環型飲食容器搬送装置用清掃装置は、請求項１〜４のいずれかに記載の循環型飲食容器搬送装置用清掃装置であって、
前記搬送部材上の塵芥を吸引して回収する吸引装置に接続された吸引部を備えることを特徴としている。
この特徴によれば、ブラシ体やブラシ部により清掃された塵芥が吸引部にて収集され、吸引装置に回収されるようになるので、塵芥を搬送部材の下方に落下させることなく収集して回収することができる。
【００１３】
本発明の請求項６に記載の循環型飲食容器搬送装置用清掃装置は、請求項１〜５のいずれかに記載の循環型飲食容器搬送装置用清掃装置であって、
前記ブラシ体との摩擦による前記搬送部材の帯電を除去する帯電除去部を備えることを特徴としている。
この特徴によれば、搬送部材が帯電することによる不都合の発生、例えば、塵芥の吸引や、放電による機器の損傷等の発生を極力防止できる。
【発明を実施するための最良の形態】
【００１４】
本発明の実施例を以下に説明する。
【実施例】
【００１５】
本発明の実施例を図面に基づいて説明すると、先ず図1は、本発明の環型飲食容器搬送装置用清掃装置（以下、清掃装置と略称する）５０を配置した本実施例の循環型飲食物搬送装置の全体像を示す平面図、図２は本実施例の清掃装置５０を示す外観斜視図、図３は本実施例の清掃装置５０の一部破断側面図、図４は本実施例の清掃装置５０のＡ−Ａ断面図、図５は本実施例の清掃装置５０のＢ−Ｂ断面図、図６は本実施例の清掃装置５０に用いた回転盤７１の下面図を示す図である。
【００１６】
先ず図1には、本実施例の循環型飲食容器搬送装置４が示されており、飲食物を提供する店内は、厨房エリア２と飲食客エリア３とに仕切り用の隔壁１で分別され、基台７上に配置された循環型飲食容器搬送装置４は、厨房エリア２と飲食客エリア３とを循環するように走行する本発明における搬送部材となるクレセントチェーン５を備えている。飲食客エリア３には、循環型飲食容器搬送装置４の周囲にはテーブル８が配置され、テーブル８の周囲には座席９が配置されている。
【００１７】
この本実施例に用いた搬送部材としては、図２並びに図３に示すように、略半月状の載置プレート部５’ａと、連結ピン５’ｃを挿通可能とされたチェーン部５’ｂとから成る複数の載置部材５’が、連結ピン５’ｃにより走行方向に向けて連結されることで、隣接する載置部材５’同士が連結ピン５’ｃを中心に互いに相対移動（回転）可能とされたクレセントチェーン５が用いられており、該クレセントチェーン５が図２に示すように、基台７に設けられた搬送経路を形成する凹部内に設けられたスライドレール１０上を、図中で明示しないチェーン駆動部により駆動されることで、該搬送経路に沿って走行できるようになっている。
【００１８】
つまりは、本実施例の循環型飲食容器搬送装置４は、飲食物を載置する飲食容器が載置される載置プレート部５’ａを有する複数の載置部材５’を、走行方向の前後の載置プレート部５’ａ間に所定の間隙１１（図６参照）が形成されるように相対移動可能に連結することで、無端状とされた本発明における搬送部材となるクレセントチェーン５を、基台７上に形成された所定の搬送経路上を走行させることにより該搬送経路上において飲食物を循環搬送できるようになっている。
【００１９】
この本実施例の清掃装置５０は、厨房エリア２内の搬送経路の所定位置に、搬送部材５の上方の清掃位置に設置されることで、クレセントチェーン５に付着した飲食物や、隣接する載置プレート部５’ａの間隙１１に入り込んだ飲食物等の塵芥を清掃して吸引回収する機能を有しており、後述するように、基台７の天面７ａに立設された取付けリベット５９を清掃装置５０のＬ字部材に形成されているだるま孔５８に挿通することで、この清掃位置に取り付け及び取り外し（着脱）自在に設置される。
【００２０】
図２は本実施例の清掃装置５０の外観斜視図である。本実施例の清掃装置５０は、主に、基台７上のクレセントチェーン５を走行させるための経路となる凹部に、当該凹部の幅よりも少し小寸法とされた幅を有することで該凹部に嵌合可能とされた断面視コ字状の基台５５と、該基台５５の上部を覆う有底箱状の上部カバー５１とから成る本体部と、該上部カバー５１のクレセントチェーン５の走行方向下流側に固設され、クレセントチェーン５の上面を払拭するための払拭部６１とから構成されている。
【００２１】
この本実施例の払拭部６１は、上部カバー５１のクレセントチェーン５の走行方向下流側の側面に固設された軸部に、その一端が軸支されることで回動自在とされたＬ字状の２本のアーム部材６３と、これらアーム部材６３の先端部に、２本のアーム部材６３間を繋ぐように、固定ボルト６５にて該固定ボルト６５を中心に回動自在に軸支されて取付けられた板状のダスタ装着板６４とから構成されており、払拭布（ダスタ）を巻き付けたダスタ装着板６４を、払拭布（ダスタ）がクレセントチェーン５の上面に当接する位置に、軸部に設けた固定ハンドル６２でアーム部材６３を固定することで、本体部にて清掃されたクレセントチェーン５の上面を払拭できるとともに、状況に応じて、固定ハンドル６２を緩めてアーム部材６３を回動させることで、ダスタ装着板６４をクレセントチェーン５の上面と当接しない退避位置に退避させて、該退避位置に固定できるようになっている。
【００２２】
また、本体部を構成する上部カバー５１の側面には、循環型飲食容器搬送装置４に清掃装置５０を装着する際に該清掃装置５０を持ち易くするための取手４９が設けられているとともに、該清掃装置５０の動作・非動作を行うためのメインスイッチ５２や、後述する駆動モータ７０の過負荷による過電流が流れることを防止するためのヒューズプラグや、電源コードが導出されるコード引き出し部５４が設けられている。
【００２３】
また、本体部を構成する基台５５の両側面には、基台７の天面７ａに立設された取付けリベット５９の頂頭部が挿通可能とされただるま孔５８が穿設されており、該だるま孔５８に取付けリベット５９の頂頭部を挿通した後、清掃装置５０を天面７ａに沿ってスライドさせることで、清掃装置５０がクレセントチェーン５の上方の所定の清掃位置に配置されるとともに、営業中などの非清掃時には、該清掃装置５０を基台７から取外しできるようになっている。
【００２４】
したがって、特に非清掃時で飲食容器がクレセントチェーン５の飲食容器載置面となる上面に載置されて循環搬送される営業中などは、この清掃装置５０を取り外すことで、店員や客の目に付かないように収納できるため、外観体裁を損ねることがないばかりか、これらクレセントチェーン５上から取り外した状態で、清掃装置５０を清掃することができることから、これら清掃装置５０の清掃により、清掃済みのクレセントチェーン５が再度汚れてしまうこと等を回避できるので、衛生面から見ても好ましいといえる。
【００２５】
また、基台５５の長手方向の側面中央位置には、負圧を発生させて基台５５内の塵芥を吸引して回収する図示しない吸引装置に接続され、基台５５の内方空間と後述する本発明の吸引部となる吸引口８２（図３参照）を介して連通する接続口６０が設けられている。
【００２６】
図３は、本実施例の清掃装置５０の一部破断側面図であり、基台５５の内部には、クレセントチェーン５の走行方向上流となる位置に、載置プレート部５’ａの走行方向に対する両側面を清掃するための２つの直線ブラシ部９０が設けられている。
【００２７】
この直線ブラシ部９０は、図３並びに図５のＢ−Ｂ断面図に示すように、略方形板状のブラシプレート９５の一面の、載置プレート部５’ａの側部に対応する位置となるその下部位置に、横一列状に刷毛９１が設けられており、これら直線ブラシ部９０が、刷毛９１が内方を向くように、断面視コ字形の取付けホルダ９２に取付けナット９４、取付けボルト９４’にて取付けられているとともに、該取付けホルダ９２が基台５５の上方内面に固定ボルト９３’並びに手動ナット９３にて取付けられることで、クレセントチェーン５が走行することにより、刷毛９１と載置プレート部５’ａの走行方向に対する両側面が摺接することで、該両側面が清掃される。尚、本実施例では、刷毛９１を耐摩耗性に優れるナイロン製としているが、本発明はこれに限定されるものではなく、これら刷毛９１の材質は、これら耐摩耗性を考慮して適宜に選択すれば良い。
【００２８】
このように、本実施例では、取付けホルダ９２の基台５５への固定を手動ナット９３にて実施することで、これら取付けホルダ９２を容易に清掃装置５０から取り外して、該取付けホルダ９２に取付けられている直線ブラシ部９０を、容易に清掃または交換できるようになっている。
【００２９】
また、基台５５内部の直線ブラシ部９０のクレセントチェーン５の走行方向下流となる位置に、載置プレート部５’ａの間隙１１に入り込む長さを有する長ブラシ体７４ａと、該長ブラシ体７４ａよりも長さの短い短ブラシ体７４ｂから成る長短２種類のブラシ体を下面の外周部に備える回転盤７１が設けられている。
【００３０】
この本実施例に用いた回転盤７１には、図６に示すように、その最外周に、回転盤７１の回転中心の同心円上に長ブラシ体７４ａが環状に配列して設けられているとともに、該配列して設けられている各長ブラシ体７４ａの中間となる位置の内方側に、短ブラシ体７４ｂが回転中心の同心円上に環状に配列して設けられている。
【００３１】
そして、長ブラシ体７４ａが配列された同心円の曲率は、連結される載置部材５’の各載置プレート部５’ａ間に形成される間隙１１の曲率とほぼ同一の曲率とされており、このように、長ブラシ体７４ａが配置される同心円の曲率を間隙１１の曲率とほぼ同一とすることで、回転盤７１が回転することにより長ブラシ体７４ａが、間隙１１に沿って移動するようになるので、これら各載置プレート部５’ａの走行方向に対する前後端面に付着した塵芥がクレセントチェーン５の側方に掻き出されるとともに、各載置プレート部５’ａの走行方向に対する前後端面にブラシ体７４ａの先端側面が摺接するため、間隙１１に入り込んだ塵芥や汚れを良好に清掃することができる。
【００３２】
尚、本実施例では、各ブラシ体を耐摩耗性に優れるナイロン製としているが、本発明はこれに限定されるものではなく、これらブラシ体の材質は、これら耐摩耗性を考慮して適宜に選択すれば良い。
【００３３】
また、各ブラシ体の長さの寸法差としては、これら小さいと長ブラシ体７４ａが間隙１１に良好に入り込み難くなり、これら大きすぎると、長ブラシ体７４ａに大きな荷重がかかって長ブラシ体７４ａの損耗が激しくなるので、これら寸法差としては、載置プレート部５’ａの厚みとほぼ同じか、或いは該厚みよりも若干大きな寸法差とすることが好ましい。
【００３４】
このように、本実施例の回転盤７１においてはブラシ体を回転盤７１の外周部にのみ設けているが、本発明はこれに限定されるものではなく、これらブラシ体、例えば短ブラシ体７４ｂを、回転盤７１の内周部にも設けるようにしても良い。
【００３５】
この本実施例の回転盤７１は、図３並びに図４のＡ−Ａ断面図に示すように、その駆動軸７２がクレセントチェーン５の上面に対してほぼ垂直となるように、固定ボルト７７並びに固定ナット７７’にて基台５５の上面に固設された本発明における駆動部となる駆動モータ７０の該駆動軸７２に同軸に固定されたブラシ固定用フランジに対して、２つの装着ボルト７５’と手動ナット７５により固定されることで、クレセントチェーン５の上面、すなわち、載置プレート部５’ａの上面に対してほぼ平行に配置されるとともに、該駆動モータ７０により駆動回転されるようになっている。
【００３６】
この回転盤７１が駆動回転され、かつクレセントチェーン５が循環走行されることで、特に図６に示されるように、載置プレート部５’ａの上面に摺接される各ブラシ体により該載置プレート部５’ａの上面が清掃されるとともに、特にこれら複数のブラシ体の先端にて形成される清掃面は、載置プレート部５’ａの上面に対してほぼ平行な姿勢のまま回転することで、各ブラシ体が互いに離間配置されていても、載置プレート部５’ａ上面に付着した汚れや塵芥が各ブラシ体間をすり抜けることが防止されるため、載置プレート部５’ａの上面を満遍なく清掃できる。
【００３７】
また、回転盤７１が回転することにより、各ブラシ体はクレセントチェーン５の走行経路を横切るように移動するため、これにより、クレセントチェーン５の上面となる載置プレート部５’ａの上面のみならず、隣接する載置プレート部５’ａの間隙１１に入り込んだ飯粒等の塵芥を、該回転盤７１の下面に設けられたブラシ体、特には、回転盤７１の下面最外周部に配列された長ブラシ体７４ａが該間隙１１に良好に入り込むことで、該間隙１１に入り込んだ塵芥がブラシ体に押圧されて循環型飲食容器搬送装置４の内部に侵入することを極力回避しつつ、吸引口８２が設けられているクレセントチェーン５の側方へ掻き出して、該側方位置にて回収、清掃されるばかりか、該間隙１１に臨む走行方向前後の載置プレート部５’ａの前後端面も磨かれることで、これら間隙１１が良好に清掃される。
【００３８】
このように、本実施例では、回転盤７１の固定を２つの手動ナット７５にて実施することで、これら回転盤７１を容易に清掃装置５０から取り外して清掃または交換できるようになっている。
【００３９】
尚、図３中の８０は、基台５５に上部カバー５１を固定するためのネジであり、８１は、駆動モータ７０に供給される電源用のコンデンサであり、８２は、前述の接続口６０に連通する吸引口８２である。
【００４０】
また、基台５５内部の回転盤７１のクレセントチェーン５の走行方向下流となる位置には、図３に示すように、ステンレス製の刷毛７９を有する本発明における帯電除去部となる除電ブラシ７８が、ステンレス製の刷毛７９とクレセントチェーン５の上面とが摺接するように設けられており、該除電ブラシ７８により回転盤７１に設けられているブラシ体との摩擦により発生したクレセントチェーン５の静電気が除去される。
【００４１】
以上、本発明の清掃装置５０によれば、該清掃装置５０を基台７上に固定した後、ダスタを巻き付けたダスタ装着板６４を、ダスタがクレセントチェーン５の上面と当接するように、固定ハンドル６２でアーム部材６３を固定するとともに、クレセントチェーン５を走行状態とした後、メインスイッチ５２を「ＯＮ」 状態とすることにより、回転盤７１が回転されることで、クレセントチェーン５の上面となる載置プレート部５’ａの上面に付着した塵芥や、隣接する載置プレート部５’ａの間隙１１に入り込んだ塵芥が良好に清掃されるとともに、走行する載置プレート部５’ａの走行方向に対する両側面が、直線ブラシ部９０に設けられている刷毛９１により清掃され、これら清掃された塵芥が吸引されて回収されるばかりか、該清掃により発生した静電気も除電ブラシ７８により除去されるようになる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
たとえば、前記実施例における清掃装置５０は、客に目立ちにくい厨房エリア２の所定箇所に配置されていたが、循環型飲食容器搬送装置４の搬送経路であれば、清掃が可能な任意の場所に配置してもよく、たとえば飲食客エリア３の一部に配置してもよい。
【００４４】
更には、営業中の飲食物が循環型飲食容器搬送装置４のクレセントチェーン５上を搬送されている状態における清掃を可能とするために、例えば、図７に示すように、進路変更板４２、４２’とバイパス路４１とを循環型飲食容器搬送装置４の折り返し端部位置に設けて、該折り返し端部の先端領域に飲食物が搬送されないようにして、該折り返し端部の先端領域に清掃装置５０を設置するようにしても良い。
【００４５】
また、前記実施例の清掃装置５０における吸引口８２は、吸引して回収した飲食物の塵芥を、接続口６０より該清掃装置５０の外部に排出していたが、とくに外部に排出する必要はない。たとえば一般的な電気掃除機のように、この清掃装置５０の一部に吸引して回収した飲食物の塵芥を貯留できるスペースを設けて、一時的に貯留するようにしてもよい。
【００４６】
また、前記実施例の清掃装置５０は、払拭部６１を有しているが、本発明はこれに限定されるものではなく、これら払拭部６１を設けないものとしても良いし、更には、これら払拭部６１に無端状の拭き取りクロスを周回しながら払拭する機構を付与しても良い。
【００４７】
また、前記実施例の清掃装置５０においては、清掃装置５０は固定してクレセントチェーン５を走行させるようにしているが、本発明はこれに限定されるものではなく、逆に、クレセントチェーン５を走行させることなく、清掃装置５０に自走機構を設けて、清掃装置５０を搬送経路上を自走させるようにしても良い。
【００４８】
また、前記実施例の清掃装置５０においては、回転盤７１の下流側に除電ブラシ７８を設けているが、本発明はこれに限定されるものではなく、これら除電ブラシ７８を有しない構成としても良い。
【００４９】
また、前記実施例の清掃装置５０においては、回転盤７１を円盤状としているが、本発明はこれに限定されるものではなく、これら回転盤７１を多角（四角、六角、八角）形盤状としても良い。
【００５０】
また、前記実施例においては、ブラシ体を回転盤７１の全周に渡って環状に均等配置しているが、本発明はこれに限定されるものではなく、これらブラシ体（長ブラシ体７４ａや短ブラシ体７４ｂ）を、同心円上の一部のみに偏在させて設けるようにしても良い。
【００５１】
また、長ブラシ体７４ａの配置位置は、前記実施例のように回転盤７１の回転中心の同心円上に環状に配列されるものに限定されるものではなく、同心円上以外の箇所にランダムに配置されていてもよい。
【図面の簡単な説明】
【００５２】
【図１】本発明の実施例としての清掃装置５０を配置した循環型飲食容器搬送装置４の全体像を示す図である。
【図２】本発明の実施例の清掃装置５０を示す外観斜視図である。
【図３】本発明の実施例の清掃装置５０を示す一部破断側面図である。
【図４】図３の実施例の清掃装置５０清掃装置５０のＡ−Ａ断面図である。
【図５】図３の実施例の清掃装置５０清掃装置５０のＢ−Ｂ断面図である。
【図６】本発明の実施例の清掃装置５０に用いた回転盤７１の下面図を示す図である。
【図７】その他の形態としての清掃装置５０を配置した循環型飲食容器搬送装置４の全体像を示す図である。
【符号の説明】
【００５３】
１                隔壁
２                厨房エリア
３                飲食客エリア
４                循環型飲食容器搬送装置
５                クレセントチェーン（搬送部材）
５’              載置部材
５’ａ            載置プレート部
１１              間隙
５０              清掃装置
５５              基台
６１              払拭部
６４              ダスタ装着板
７０              駆動モータ
７１              回転盤
７２              駆動軸
７３              ブラシ固定用フランジ
７４ａ            長ブラシ体
７４ｂ            短ブラシ体
７８              除電ブラシ
７９              刷毛
８２              吸引口
９０              直線ブラシ部
９１              刷毛
【図１】
2006273442.tif 000003
【図２】
2006273442.tif 000004
【図３】
2006273442.tif 000005
【図４】
2006273442.tif 000006
【図５】
2006273442.tif 000007
【図６】
2006273442.tif 000008
【図７】
2006273442.tif 000009